(57)【要約】【課題】光ドロップケーブルの支持線部とケーブル本体部とを分離することなくケーブル一体の状態で、容易に光ドロップケーブルを引き留めることができるケーブル引留め装置を提供する。【解決手段】光ドロップケーブル２を加入者宅等に引き込むべく電柱等の固定系に引き留めるためのケーブル引留め装置１において、上記固定系に引き留められ、光ドロップケーブル２を受ける受座３を有するケーブル受部材４と、受座３に対向する押え座５を有するケーブル押え部材６とを備え、ケーブル受部材４とケーブル押え部材６に、ケーブル受部材４に対してケーブル押え部材６をスライド自在に支持すると共に、そのスライドにより押え座５を、受座３に対して押圧してその間で光ドロップケーブル２を挟持するための押圧スライドガイド１３を設けたものである。【選択図】        図１
2004333524.tif 000002
【特許請求の範囲】
【請求項１】
光ドロップケーブルを受ける受座を有するケーブル受部材と、上記受座に対向する押え座を有するケーブル押え部材とを備え、ケーブル受部材とケーブル押え部材に、ケーブル受部材に対してケーブル押え部材をスライド自在に支持すると共に、そのスライドにより上記押え座を、上記受座に対して押圧してその間で光ドロップケーブルを挟持するための押圧スライドガイドを設けたことを特徴とするケーブル引留め装置。
【請求項２】
上記ケーブル押え部材はくさび形に形成され、上記押圧スライドガイドは上記ケーブル押え部材をガイドすべく上記受座上の光ドロップケーブルに近接しながら光ドロップケーブルの延長方向に延びる固定ガイド部を有する請求項１記載のケーブル引留め装置。
【請求項３】
上記ケーブル押え部材を上記受座側へ弾発付勢しつつ係止する係止手段を上記ケーブル受部材に設けた請求項１又は２記載のケーブル引留め装置。
【請求項４】
上記押圧スライドガイドは、上記ケーブル押え部材のスライド位置に応じて上記押え座を上記受座から離間させるためのレール部を有する請求項１〜３いずれかに記載のケーブル引留め装置。
【請求項５】
上記受座又は上記押え座とのいずれか一方又は両方に、上記光ドロップケーブルの滑りを防ぐための滑り止めを設けた請求項１〜４いずれかに記載のケーブル引留め装置。
【発明の詳細な説明】
【０００１】
【発明の属する技術分野】
本発明は、加入者宅等に引込み配線するために使用される光ドロップケーブルを電柱や加入者宅等の固定系に引き留めるケーブル引留め装置に関するものである。
【０００２】
【従来の技術】
図９に示すように、電話局等から延線され電柱間等の架空区間に布設された架空光ファイバケーブルや架空集合型ドロップ光ファイバケーブルなどの加入者用光ファイバケーブル３０から各加入者宅３１に光ファイバを引き落とす場合、加入者用光ファイバケーブル３０と加入者宅３１との間に光ドロップケーブル２を布設する。具体的には、光ドロップケーブル２は、一方の端部をケーブル引留め装置３２を介して電柱３３側に固定されると共に、他方の端部をケーブル引留め装置３２を介して加入者宅３１の軒下側に固定される。そして、光ドロップケーブル２の一方の端部は電柱３３上の光クロージャ３４に接続され、他方の端部は光成端箱３５に接続される。
【０００３】
図１０に示す光ドロップケーブル２は、ケーブル本体部３６と、ケーブル本体部３６に首部３７を介して連結されケーブル本体部３６を支持するための支持線部３８とからなる。
【０００４】
ケーブル本体部３６は、中心に位置される２本の光ファイバ３９と、光ファイバ３９から上下に所定間隔隔てて縦添え配置され、加入者宅３１内で張力を担う２本のテンションメンバ４０と、これら光ファイバ３９とテンションメンバ４０の外周を覆う共通被覆４１とを備えて構成されている。
【０００５】
支持線部３８は、加入者用光ファイバケーブル３０と加入者宅３１間の架空区間で張力を担う支持線４２と、支持線４２の外周を覆う被覆４３とからなる。
【０００６】
また、光ファイバ３９と、テンションメンバ４０と、支持線４２とは同一平面上に並列に配置されている。共通被覆４１と、被覆４３と、首部３７とは同じ材質からなっている。
【０００７】
図１２に示すように、従来のケーブル引留め装置３２は、光ドロップケーブル２の支持線４２を巻き付ける巻付部４５と、加入者宅３１等に設けられた吊りくぎ８を掛けるための吊りくぎ引掛けフック４６とを備えて構成されている。そして、ケーブル引留め装置３２は、ケーブル本体部３６から分離された支持線４２を巻付部４５に巻き付けることで光ドロップケーブル２を引き留められるようになっている。
【０００８】
【特許文献１】
特開２００１−３３９８３４号公報
【０００９】
【発明が解決しようとする課題】
しかしながら、ケーブル引留め装置３２は、光ドロップケーブル２のケーブル本体部３６から支持線部３８を分離したのちその支持線４２を巻付部４５に巻き付ける構造であるため、ケーブル引留めの作業性が悪く、作業時間がかかるという課題があった。また、図１１に示すように、支持線がないタイプの光ドロップケーブル４７、すなわち、テンションメンバ４８の断面積を大きくすることでテンションメンバ４８に上述の支持線４２とテンションメンバ４０との双方の機能を持たせたタイプの光ドロップケーブル４７には適用できないという課題があった。
【００１０】
そこで、本発明の目的は、上記課題を解決し、光ドロップケーブルの支持線部とケーブル本体部とを分離することなくケーブル一体の状態で、容易に光ドロップケーブルを引き留めることができるケーブル引留め装置を提供することにある。
【００１１】
【課題を解決するための手段】
上記目的を達成するために本発明は、光ドロップケーブルを加入者宅等に引き込むべく電柱等の固定系に引き留めるためのケーブル引留め装置において、上記固定系に引き留められ、上記光ドロップケーブルを受ける受座を有するケーブル受部材と、上記受座に対向する押え座を有するケーブル押え部材とを備え、ケーブル受部材とケーブル押え部材に、ケーブル受部材に対してケーブル押え部材をスライド自在に支持すると共に、そのスライドにより上記押え座を、上記受座に対して押圧してその間で光ドロップケーブルを挟持するための押圧スライドガイドを設けたものである。
【００１２】
上記ケーブル押え部材はくさび形に形成され、上記押圧スライドガイドは上記ケーブル押え部材をガイドすべく上記受座上の光ドロップケーブルに近接しながら光ドロップケーブルの延長方向に延びる固定ガイド部を有するとよい。
【００１３】
また、上記ケーブル押え部材を上記受座側へ弾発付勢しつつ係止する係止手段を上記ケーブル受部材に設けるとよい。
【００１４】
そして、上記押圧スライドガイドは、上記ケーブル押え部材のスライド位置に応じて上記押え座を上記受座から離間させるためのレール部を有するとよい。
【００１５】
またさらに、上記受座又は上記押え座とのいずれか一方又は両方に、上記光ドロップケーブルの滑りを防ぐための滑り止めを設けるとよい。
【００１６】
【発明の実施の形態】
本発明の好適実施の形態を添付図面に基づいて詳述する。
【００１７】
図１は押え座を受座から離間させている状態のケーブル引留め装置の正面図である。図２は図１に示したケーブル引留め装置の平面図である。
【００１８】
図１及び図２に示すように、ケーブル引留め装置１は、電柱や加入者宅等の固定系（図示せず）に引き留められ、光ドロップケーブル２を受ける受座３を有するケーブル受部材４と、受座３に対向する押え座５を有するケーブル押え部材６と、ケーブル受部材４に設けられケーブル押え部材６を受座３側へ弾発付勢しつつ係止するための係止手段７とを備えて構成されている。
【００１９】
図１及び図７に示すように、ケーブル受部材４は、金属製の板材からなり、吊りくぎ８を掛けるための掛け穴９を有する。受座３は、ケーブル受部材４の縁部を鉤型に屈曲形成してなるものであり、光ドロップケーブル２を載せる受面１０と、受面１０の一側に沿って形成され光ドロップケーブル２の脱落を防ぐためのガード部１１とを有する。受面１０は、一辺を掛け穴９に臨ませると共に掛け穴９から離間する方向に延びて形成されている。
【００２０】
ケーブル押え部材６は、金属製の板材からなり、くさび形に形成されている。押え座５は、くさび形の先端２９に臨む一方の辺に沿って形成されており、他方の辺には後述する可動ガイド部１２が当該辺に沿って形成されている。
【００２１】
また、ケーブル受部材４とケーブル押え部材６には、ケーブル受部材４に対してケーブル押え部材６をスライド自在に支持すると共に、そのスライドにより押え座５を、受座３に対して押圧してその間で光ドロップケーブル２を挟持するための押圧スライドガイド１３が設けられている。
【００２２】
押圧スライドガイド１３は、ケーブル受部材４に形成されケーブル押え部材６を受座３の延長方向に移動させながら受座３に近接離間させるように案内するための固定ガイド部１４と、ケーブル押え部材６に形成され固定ガイド部１４に案内される可動ガイド部１２とからなる。
【００２３】
固定ガイド部１４は、押圧スライドガイド１３の受座３と対向する位置に枠状のレールを設けてなるものであり、受座３側にスリット状に開口する開口部１５を有する。また、固定ガイド部１４は、受座３の延長方向に延びつつ掛け穴９から遠ざかる側で受座３に近接するように受座３に対して傾斜して配置されている。具体的には、固定ガイド部１４の受座３に対する傾斜角度は、可動ガイド部１２の押え座５に対する傾斜角度と同じ角度に設定されている。これにより、固定ガイド部１４に対する可動ガイド部１２のスライド位置に関係なく受座３と押え座５とを常に平行に保つようになっている。また、固定ガイド部１４は、ケーブル押え部材６のスライド位置に応じて押え座５を受座３から離間させるためのレール部１６を有する。レール部１６は、後述する可動ガイド部１２の受座３側を一部覆うように形成されている。
【００２４】
可動ガイド部１２は、ケーブル押え部材６の押え座５と対向する縁部を多段に屈曲形成してなるものであり、固定ガイド部１４内に入れ子状に、かつ、長手方向スライド可能に収容されるようになっている。そして、ケーブル押え部材６は、可動ガイド部１２を固定ガイド部１４内に収容されると共に開口部１５を貫通して受座３側に延びており、押え座５を受座３に対向させるようになっている。ケーブル押え部材６は、固定ガイド部１４と受座３とが近接される側に先端２９を向けて配置されている。また、ケーブル押え部材６には、ケーブル押え部材６をスライド移動させるための取っ手１７が設けられている。
【００２５】
図１、図２及び図３に示すように、係止手段７は、ケーブル押え部材６に設けられたフック１８と、ケーブル受部材４に設けられフック１８に係脱自在に係合されるキャッチクリップ１９とを備えて構成されている。キャッチクリップ１９は、ケーブル受部材４の固定ガイド部１４に、回転軸２０を介して回動自在に設けられたクリップ本体部２１と、クリップ本体部２１に回転軸２０と平行な軸回り回動自在に設けられフック１８に掛けるための掛け部２２とを備えて構成されている。クリップ本体部２１は、フック１８から離間する方向に延びて形成されており、クリップ本体部２１の先端側にはクリップ本体部２１を回転軸２０回り回動させるべく指を掛けるための爪部２３が形成されている。掛け部２２は、クリップ本体部２１の両側に同軸回り回動自在に設けられ径方向に延びる一対の掛け部基端部２４と、略Ｕ字状に形成され両端部をそれぞれの掛け部基端部２４にバネ２５を介して延長方向伸長可能に設けられた掛け部先端部２６とを備えて構成されている。掛け部基端部２４の先端には、バネ２５を留めるための第１バネストッパ２７が設けられている。第１バネストッパ２７は、径方向に延びる板状に形成されており、掛け部先端部２６を挿通させるための孔（図示せず）を有する。また、掛け部先端部２６の両端には、バネ２５を掛けるための第２バネストッパ２８がそれぞれ設けられている。第２バネストッパ２８は、それぞれ径方向に延びる板状に形成されており、掛け部基端部２４を挿通させるための孔（図示せず）を有する。バネ２５はコイルバネからなり、第１バネストッパ２７と第２バネストッパ２８との間に設けられている。
【００２６】
次に本実施の形態の作用を述べる。
【００２７】
図１に示すように、光ドロップケーブル２を電柱や加入者宅等の固定系に引き留める場合、まず固定系に設けられた吊りくぎ８を掛け穴９に掛け、ケーブル引留め装置１を固定系につなぐ。そして、キャッチクリップ１９がフック１８から外れた状態でケーブル押え部材６をスライドさせ、受座３から押え座５を離間させる。このとき、ケーブル押え部材６は固定ガイド部１４に可動ガイド部１２を沿わせてスライドする。
【００２８】
この後、受座３の受面１０上に光ドロップケーブル２を載置し、押え座５を光ドロップケーブル２に接近させるようにケーブル押え部材６をスライドさせる。このとき、特に光ドロップケーブル２の張力の高い側がくさび形のケーブル押え部材６の先端２９側（可動ガイド部１２が押え座５に近接される側）に位置されるように受面１０上に光ドロップケーブル２を載置する。光ドロップケーブル２をその張力に応じた力で挟持することができ、光ドロップケーブル２を良好に引き留めることができる。そして、図５及び図６に示すように、押え座５が光ドロップケーブル２に接触されたらキャッチクリップ１９をフック１８に掛ける。
【００２９】
キャッチクリップ１９をフック１８に掛ける場合、図３に示すように爪部２３を引いてクリップ本体部２１を回転軸２０回り回動させる。これにより、掛け部２２がフック１８に近づくので、掛け部２２を適宜回動させてフック１８を越える位置に掛け部２２の先端を移動させる。そして、図４及び図６に示すようにクリップ本体部２１を元の姿勢に戻すように回動させることで掛け部２２がフック１８から離間する方向に移動され、掛け部先端部２６がフック１８に当接してフック１８に係止される。このとき、掛け部２２は、先端側をフック１８に掛けながら基端側をクリップ本体部２１に引かれるため、バネ２５を押し縮めながら伸長する。
【００３０】
図５及び図７に示すように、ケーブル押え部材６は、バネ２５の弾発力を受けて押え座５を光ドロップケーブル２に押し付け、光ドロップケーブル２は受座３と押え座５との間に挟持される。
【００３１】
光ドロップケーブル２は、その張力によりケーブル押え部材６の先端２９側へ引かれるが、ケーブル押え部材６と摩擦されることでケーブル押え部材６に先端２９側へ移動させる力を付与するため、ケーブル押え部材６はその付与された力に応じて光ドロップケーブル２を受座３側に押し付け、光ドロップケーブル２を受座３との間に挟持する。このため、光ドロップケーブル２をその張力に応じて良好に引き留めることができる。
【００３２】
このように、固定系に引き留められ、光ドロップケーブル２を受ける受座３を有するケーブル受部材４と、受座３に対向する押え座５を有するケーブル押え部材６とを備え、ケーブル受部材４とケーブル押え部材６に、ケーブル受部材４に対してケーブル押え部材６をスライド自在に支持すると共に、そのスライドにより押え座５を、受座３に対して押圧してその間で光ドロップケーブル２を挟持するための押圧スライドガイド１３を設けてケーブル引留め装置１を構成したため、光ドロップケーブル２の支持線部３８とケーブル本体部３６（図１０参照）とを分離することなくケーブル一体の状態で、短時間で容易に光ドロップケーブル２を引き留めることができ、支持線部３８を有しないタイプの光ドロップケーブル４７（図１１参照）も引き留めることができる。そして、光ドロップケーブル２の支持線部３８とケーブル本体部３６を切り離す作業が不要となり、光ドロップケーブル２を固定系に引き留める作業にかかる時間を短縮できる。また、光ドロップケーブル２をその張力に応じて良好に引き留めることができる。
【００３３】
また、ケーブル押え部材６はくさび形に形成され、押圧スライドガイド１３はケーブル押え部材６をガイドすべく受座３上の光ドロップケーブル２に近接しながら光ドロップケーブル２の延長方向に延びる固定ガイド部１４を有するため、ケーブル押え部材６を強度を得やすい簡単な構造にでき、安価に製作できる。
【００３４】
そして、ケーブル押え部材６を受座３側へ弾発付勢しつつ係止する係止手段７をケーブル受部材４に設けたため、光ドロップケーブル２をケーブル受部材４とケーブル押え部材６との間に確実に挟持できる。特に、光ドロップケーブル２を加入者宅等に引き込んでいる最中等、光ドロップケーブル２の張力が弱いとき、積極的に光ドロップケーブル２を挟持でき、光ドロップケーブル２が抜け落ちるのを防ぐことができる。
【００３５】
また、押圧スライドガイド１３は、ケーブル押え部材６のスライド位置に応じて押え座５を受座３から離間させるためのレール部１６を有するものとしたため、光ドロップケーブル２を受座３上に載置するときなど、受座３から押え座５を離間させておくときに作業者がケーブル押え部材６を支えるのに必要な力を軽減することができると共に、ケーブル押え部材６をスライド動作だけで容易に受座３に近接離間させることができる。
【００３６】
そして、互いに平行な受座３と押え座５との間に光ドロップケーブル２を挟むものとしたため、光ドロップケーブル２に局所的に大きな力がかかるのを防ぐことができ、光ドロップケーブル２内の光ファイバが傷むのを防ぐことができる。
【００３７】
また、光ドロップケーブル２に外傷を与えることなく引き留めることができ、引留め作業も容易であるため、光ドロップケーブル２の接続の際に一時的に光ドロップケーブル２を引き留める工具としても利用できる。
【００３８】
なお、図８に示すように、受座３又は押え座５とのいずれか一方又は両方に、光ドロップケーブル２の滑りを防ぐための滑り止め５０を設けてもよい。滑り止め５０は、のこぎり歯のような凹凸で構成するとよい。凸部５１を光ドロップケーブル２の被覆にくい込ませることができ、強い引留め力を得ることができる。また、滑り止め（図示せず）は、受座３又は押え座５の表面を粗面化したものであってもよく、受座３又は押え座５に表面を粗面化した部材（図示せず）を取り付けるものとしてもよい。
【００３９】
【発明の効果】
以上要するに本発明によれば、次のような優れた効果を奏する。
（１）光ドロップケーブルの支持線部とケーブル本体部とを分離することなくケーブル一体の状態で、容易に光ドロップケーブルを引き留めることができる。
【図面の簡単な説明】
【図１】本発明の好適実施の形態を示すケーブル引留め装置の正面図である。
【図２】図１のケーブル引留め装置の平面図である。
【図３】係止手段の動作を説明する正面図である。
【図４】係止手段の動作を説明する正面図である。
【図５】光ドロップケーブルを挟持している状態のケーブル引留め装置の正面図である。
【図６】図５のケーブル引留め装置の平面図である。
【図７】図５のケーブル引留め装置の側面図である。
【図８】他の実施の形態を示すケーブル引留め装置の正面図である。
【図９】ケーブル引留め装置の使用箇所を説明する説明図である。
【図１０】光ドロップケーブルの断面図である。
【図１１】支持線部を有しないタイプの光ドロップケーブルの断面図である。
【図１２】従来のケーブル引留め装置の斜視図である。
【符号の説明】
１  ケーブル引留め装置
２  光ドロップケーブル
３  受座
４  ケーブル受部材
５  押え座
６  ケーブル押え部材
７  係止手段
１３  押圧スライドガイド
１４  固定ガイド部
１６  レール部
５０  滑り止め
【図１】
2004333524.tif 000003
【図２】
2004333524.tif 000004
【図３】
2004333524.tif 000005
【図４】
2004333524.tif 000006
【図５】
2004333524.tif 000007
【図６】
2004333524.tif 000008
【図７】
2004333524.tif 000009
【図８】
2004333524.tif 000010
【図９】
2004333524.tif 000011
【図１０】
2004333524.tif 000012
【図１１】
2004333524.tif 000013
【図１２】
2004333524.tif 000014